(57)【特許請求の範囲】
【請求項１】
ベースシート（６）と、
前記ベースシート上に配置されかつ印刷加飾層（４）を有する接着層（５）と、
前記接着層上に配置された透明樹脂シート（３）と、
前記透明樹脂シート上に配置された不透明反射シート（２）とを備え、
前記印刷加飾層（４）は、
光遮蔽材料で構成されて前記接着層に部分的に配置され、影を前記不透明反射シートと前記透明樹脂シートとの界面（２ａ）上に形成可能な第１影形成部（２１）と、
その第１影形成部（２１）との光透過率の差が少なくとも１０％以上であり、かつ、光透過材料で構成されて前記接着層に部分的に配置され、前記透明樹脂シートを透過する光により前記第１影形成部で形成される影よりも薄い影を前記界面上に形成可能な第２影形成部（２２）とを有するとともに、
前記第１影形成部と前記第２影形成部と前記不透明反射シートとは同系色であり、
前記第１影形成部と前記第２影形成部とは、前記接着層内で前記界面と平行な１つの平面上に配置されるとともに、
前記第１影形成部と前記第２影形成部とが交差する部分において、前記第１影形成部に対して前記第２影形成部が途切れるように配置している、加飾シート。
【請求項２】
前記第１影形成部と前記第２影形成部と前記不透明反射シートとは同系色であり、
前記第１影形成部と前記第２影形成部とは、前記接着層内で前記界面と平行な１つの平面上に配置されるとともに、
前記第１影形成部と前記第２影形成部とが交差する部分において、前記第１影形成部に対して前記第２影形成部が途切れるように配置している構成により、前記第１影形成部が前記第２影形成部よりも前記不透明反射シートと前記透明樹脂シートとの前記界面に対して、前記第１影形成部が前記第２影形成部から浮き出て見える、請求項１記載の加飾シート。
【請求項３】
前記第１影形成部と前記第２影形成部と前記不透明反射シートとは白色の同系色であり、前記不透明反射シート（２）は白色の不透明反射シートである、請求項１又は請求項２記載の加飾シート。
【請求項４】
前記第１影形成部は、白色加飾層（３２）と、グレー色加飾層（３３）とを有するとともに、前記第２影形成部は、乳白色加飾層（３５）とを有し、
前記白色加飾層（３２）は、前記１つの平面上に部分的に配置され、白色インキにより構成して光遮蔽機能を発揮し、前記界面上に第１影（３２ｓ）を形成して、最も手前側に位置するように見える層であり、
前記グレー色加飾層（３３）は、前記１つの平面上に部分的に配置され、グレー色のインキにより構成して光遮蔽機能を発揮し、前記不透明反射シートと前記透明樹脂シートとの前記界面上に第２影（３３ｓ）を形成して、二番目に手前側に位置するように見える層であり、
前記乳白色加飾層（３５）は、前記１つの平面上に部分的に配置され、光透過材料で構成された乳白色の層であり、光透過機能を発揮し、前記不透明反射シートと前記透明樹脂シートとの前記界面上に第３影（３５ｓ）を形成して、最も奥側に位置するように見える層である、請求項１から請求項３のいずれかに記載の加飾シート。
【請求項５】
前記第１影形成部は、白色隠蔽層付きのパール加飾層（３１）と、グレー色加飾層（３３）とを有するとともに、前記第２影形成部は、薄パール加飾層（３４）とを有し、
前記白色隠蔽層付きのパール加飾層（３１）は、パール層（３１ａ）の底部に白色隠蔽層（３１ｂ）を有し、前記１つの平面上に部分的に配置され、前記界面上に第１影（３１ｓ）を形成して、最も手前側に位置するように見え、
前記グレー色加飾層（３３）は、前記１つの平面上に部分的に配置され、グレー色のインキにより構成して光遮蔽機能を発揮し、前記界面上に第２影（３３ｓ）を形成して、二番目に手前側に位置するように見える層であり、
前記薄パール加飾層（３４）は、前記１つの平面上に部分的に配置され、光透過材料で構成された薄いパール色の層であり、光透過機能を発揮し、前記界面上に第３影（３４ｓ）を形成して、最も奥側に位置するように見える層である、請求項１から請求項４のいずれかに記載の加飾シート。
【請求項６】
前記第１影形成部は、白色隠蔽層付きのパール加飾層（３１）と、白色加飾層（３２）と、グレー色加飾層（３３）とを有するとともに、前記第２影形成部は、薄パール加飾層（３４）と、乳白色加飾層（３５）とを有し、
前記白色隠蔽層付きのパール加飾層（３１）は、パール層（３１ａ）の底部に白色隠蔽層（３１ｂ）を有し、前記１つの平面上に部分的に配置され、前記界面上に第１影（３１ｓ）を形成して、最も手前側に位置するように見え、
前記白色加飾層（３２）は、前記１つの平面上に部分的に配置され、白色インキにより構成して光遮蔽機能を発揮し、前記界面上に第２影（３２ｓ）を形成して、二番目に手前側に位置するように見える層であり、
前記グレー色加飾層（３３）は、前記１つの平面上に部分的に配置され、グレー色のインキにより構成して光遮蔽機能を発揮し、前記界面上に第３影（３３ｓ）を形成して、三番目に手前側に位置するように見える層であり、
前記薄パール加飾層（３４）は、前記１つの平面上に部分的に配置され、光透過材料で構成された薄いパール色の層であり、光透過機能を発揮し、前記界面上に第４影（３４ｓ）を形成して、前記グレー色加飾層より奥側に位置するように見える層であり、
前記乳白色加飾層（３５）は、前記１つの平面上に部分的に配置され、光透過材料で構成された乳白色の層であり、光透過機能を発揮し、前記界面上に第５影（３５ｓ）を形成して、最も奥側に位置するように見える層である、請求項１から請求項５のいずれかに記載の加飾シート。
【請求項７】
請求項１から請求項６のいずれかに記載の加飾シート（１１，１１Ａ，１１Ｂ）が樹脂部（７）の表面に固定された加飾品。
【請求項８】
前記樹脂部の前記表面は凸形状をなすように湾曲して、前記加飾シートも凸形状をなすように湾曲している、請求項７に記載の加飾品。
【発明の詳細な説明】
【技術分野】
【０００１】
本発明は、各種機器（各種携帯機器、パーソナルコンピュータ、家電製品など）又は設備又は自動車の内装品などの表面に配置され、薄肉であるにもかかわらず、厚さ以上の奥行き感を感じさせることができる加飾シートに関する。
【背景技術】
【０００２】
各種電子機器などにおいて、高機能化の開発競争が激しさを増す一方で、その外面の意匠についても差別化を図るべく開発が行なわれるようになってきており、従来に無い画期的な意匠が求められるようになってきている。
【０００３】
そこで、三次元的な意匠を考えた場合、従来は、多数の加飾層を厚み方向の位置を異ならせて、三次元的な意匠を形成するようにしている。
【０００４】
例えば、図９に示す化粧板シートのように、背景色となる着色された樹脂層８０の上に、手前側から底部側に向けて、第１加飾層８１と、第１加飾層８１の内側に第２加飾層８２と、第２加飾層８２の内側に第３加飾層８３と、第３加飾層８３の内側に第４加飾層８４とを配置したのち、樹脂層８０上に、第１加飾層８１と第２加飾層８２と第３加飾層８３と第４加飾層８４とを覆うように透明樹脂層８５を形成したものが考えられる。このようなものでは、透明樹脂層８５内の最も底部の樹脂層８０の上に、第１加飾層８１と第２加飾層８２と第３加飾層８３と第４加飾層８４とが手前側から底部側に向けて順に配置されているように見える。
【０００５】
また、図１０に示すように、成形樹脂層９１の表面に第１加飾層９２が配置され、裏面に第２加飾層９３が配置された射出成形同時加飾品９０がある。この射出成形同時加飾品９０でも、成形樹脂層９１内で手前側と底部側とに加飾層の位置を異ならせて配置して、立体的に見せるようにしたものがある（特許文献１を参照）。
【先行技術文献】
【特許文献】
【０００６】
【特許文献１】特開２００５−１０３９９３号公報
【発明の概要】
【発明が解決しようとする課題】
【０００７】
しかしながら、前記構造のものでは、樹脂層８０上での、第１加飾層８１と第２加飾層８２と第３加飾層８３と第４加飾層８４とのそれぞれの厚さ方向の位置を異ならせるものであり、樹脂層８０の厚さＴ０と、第１加飾層８１の厚さＴ１と、第２加飾層８２の厚さＴ２と、第３加飾層８３の厚さＴ３と、第４加飾層８４の厚さＴ４との合計の厚さ寸法Ｔ（＝Ｔ０＋Ｔ１＋Ｔ２＋Ｔ３＋Ｔ４）とを必ず必要とするものである。さらに、見た目上、それぞれの加飾層間で奥行き感が感じられる程度まで位置を調節する必要があり、各加飾層の厚さが薄い場合には、厚さ以上に距離を離す必要が生じ、必然的に、全体として厚肉なものとなり、薄型化の要請に全く応えられないものであった。
【０００８】
従って、本発明の目的は、前記問題を解決することにあって、薄型であってかつ三次元的な意匠を呈することができる加飾シートを提供することにある。
【課題を解決するための手段】
【０００９】
前記目的を達成するために、本発明は以下のように構成する。
【００１０】
本発明の第１態様によれば、ベースシートと、
前記ベースシート上に配置されかつ印刷加飾層を有する接着層と、
前記接着層上に配置された透明樹脂シートと、
前記透明樹脂シート上に配置された不透明反射シートとを備え、
前記印刷加飾層は、光遮蔽材料で構成されて前記接着層に部分的に配置され、認識容易な影を前記不透明反射シートと前記透明樹脂シートとの界面上に形成可能な第１影形成部とを有するとともに、
前記第１影形成部と前記不透明反射シートとは同系色であり、
前記第１影形成部は、前記透明樹脂シート上の上記接着層内でかつ前記不透明反射シートと前記透明樹脂シートとの前記界面と平行な１つの平面上に配置される、加飾シートを提供する。
【００１１】
本発明の第２態様によれば、前記印刷加飾層は、さらに、
光透過材料で構成されて前記透明樹脂シート上に部分的に配置され、前記透明樹脂シートを透過する光により前記第１影形成部で形成される影よりも認識困難な影を前記不透明反射シートと前記透明樹脂シートとの前記界面上に形成可能な第２影形成部を有するとともに、
前記第１影形成部と前記第２影形成部と前記不透明反射シートとは同系色であり、
前記第１影形成部と前記第２影形成部とは、前記透明樹脂シート内で前記不透明反射シートと前記透明樹脂シートとの前記界面と平行な１つの平面上に配置されるとともに、
前記第１影形成部と前記第２影形成部とが交差する部分において、前記第１影形成部に対して前記第２影形成部が途切れるように配置している、第１の態様に記載の加飾シートを提供する。
【００１２】
本発明の第３態様によれば、前記第１影形成部と前記第２影形成部と前記不透明反射シートとは同系色であり、
前記第１影形成部と前記第２影形成部とは、前記透明樹脂シート内で前記不透明反射シートと前記透明樹脂シートとの前記界面と平行な１つの平面上に配置されるとともに、
前記第１影形成部と前記第２影形成部とが交差する部分において、前記第１影形成部に対して前記第２影形成部が途切れるように配置している構成により、前記第１影形成部が前記第２影形成部よりも前記不透明反射シートと前記透明樹脂シートとの前記界面に対して、前記第１影形成部が前記第２影形成部が浮き出て見える、第２の態様に記載の加飾シートを提供する。
【００１３】
本発明の第４態様によれば、前記第１影形成部と前記第２影形成部と前記不透明反射シートとは白色の同系色であり、前記不透明反射シートは白色の不透明反射シートである、第２又は３の態様に記載の加飾シートを提供する。
【００１４】
本発明の第５態様によれば、前記透明樹脂シートは、前記不透明反射シートの意匠部形成領域の全面に配置され、
前記透明樹脂シート内で前記不透明反射シートと前記透明樹脂シートとの前記界面と平行な前記透明樹脂シートの外面上に、前記印刷加飾層の前記第１影形成部と前記第２影形成部とが配置されている第２〜４のいずれか１つの態様に記載の加飾シートを提供する。
【００１５】
本発明の第６態様によれば、前記第１影形成部は、白色加飾層と、グレー色加飾層とを有するとともに、前記第２影形成部は、乳白色加飾層とを有し、
前記白色加飾層は、前記透明樹脂シートの前記１つの平面上に部分的に配置され、白色インキにより構成して光遮蔽機能を発揮し、前記不透明反射シートと前記透明樹脂シートとの前記界面上に認識容易な影を形成して、最も手前側に位置するように見える層であり、
前記グレー色加飾層は、前記透明樹脂シートの前記１つの平面上に部分的に配置され、グレー色のインキにより構成して光遮蔽機能を発揮し、前記不透明反射シートと前記透明樹脂シートとの前記界面上にやや認識容易な影を形成して、二番目に手前側に位置するように見える層であり、
前記乳白色加飾層は、前記透明樹脂シートの前記１つの平面上に部分的に配置され、光透過材料で構成された乳白色の層であり、光透過機能を発揮し、前記不透明反射シートと前記透明樹脂シートとの前記界面上に最も認識しにくい影を形成して、最も奥側に位置するように見える層である、第２〜５のいずれか１つの態様に記載の加飾シートを提供する。
【００１６】
本発明の第７態様によれば、前記第１影形成部は、白色隠蔽層付きのパール加飾層と、グレー色加飾層とを有するとともに、前記第２影形成部は、薄パール加飾層とを有し、
前記白色隠蔽層付きのパール加飾層は、パール層の底部に白色隠蔽層を有し、前記透明樹脂シートの前記１つの平面上に部分的に配置され、前記不透明反射シートと前記透明樹脂シートとの前記界面上に最も認識容易な影を形成して、最も手前側に位置するように見え、
前記グレー色加飾層は、前記透明樹脂シートの前記１つの平面上に部分的に配置され、グレー色のインキにより構成して光遮蔽機能を発揮し、前記不透明反射シートと前記透明樹脂シートとの前記界面上にやや認識容易な影を形成して、二番目に手前側に位置するように見える層であり、
前記薄パール加飾層は、前記透明樹脂シートの前記１つの平面上に部分的に配置され、光透過材料で構成された薄いパール色の層であり、光透過機能を発揮し、前記不透明反射シートと前記透明樹脂シートとの前記界面上に認識しにくい影を形成して、最も奥側に位置するように見える層である、第２〜５のいずれか１つの態様に記載の加飾シートを提供する。
【００１７】
本発明の第８態様によれば、前記第１影形成部は、白色隠蔽層付きのパール加飾層と、白色加飾層と、グレー色加飾層とを有するとともに、前記第２影形成部は、薄パール加飾層と、乳白色加飾層とを有し、
前記白色隠蔽層付きのパール加飾層は、パール層の底部に白色隠蔽層を有し、前記透明樹脂シートの前記１つの平面上に部分的に配置され、前記不透明反射シートと前記透明樹脂シートとの前記界面上に最も認識容易な影を形成して、最も手前側に位置するように見え、
前記白色加飾層は、前記透明樹脂シートの前記１つの平面上に部分的に配置され、白色インキにより構成して光遮蔽機能を発揮し、前記不透明反射シートと前記透明樹脂シートとの前記界面上に認識容易な影を形成して、二番目に手前側に位置するように見える層であり、
前記グレー色加飾層は、前記透明樹脂シートの前記１つの平面上に部分的に配置され、グレー色のインキにより構成して光遮蔽機能を発揮し、前記不透明反射シートと前記透明樹脂シートとの前記界面上にやや認識容易な影を形成して、三番目に手前側に位置するように見える層であり、
前記薄パール加飾層は、前記透明樹脂シートの前記１つの平面上に部分的に配置され、光透過材料で構成された薄いパール色の層であり、光透過機能を発揮し、前記不透明反射シートと前記透明樹脂シートとの前記界面上に認識しにくい影を形成して、より奥側に位置するように見える層であり、
前記乳白色加飾層は、前記透明樹脂シートの前記１つの平面上に部分的に配置され、光透過材料で構成された乳白色の層であり、光透過機能を発揮し、前記不透明反射シートと前記透明樹脂シートとの前記界面上に最も認識しにくい影を形成して、最も奥側に位置するように見える層である、第２〜５のいずれか１つの態様に記載の加飾シートを提供する。
【００１８】
本発明の第９態様によれば、第１〜８のいずれか１つの態様に記載の加飾シートが樹脂部の表面に固定された加飾品を提供する。
【００１９】
本発明の第１０態様によれば、前記樹脂部の前記表面は凸形状をなすように湾曲して、前記加飾シートも凸形状をなすように湾曲している、第９の態様に記載の加飾品を提供する。
【発明の効果】
【００２０】
本発明によれば、前記第１影形成部と前記不透明反射シートとを同系色とするように配置している。この結果、第１影形成部が前記不透明反射シートと前記透明樹脂シートとの前記界面に対して浮き出て見えるため、前記界面と第１影形成部との間の距離はあまり無いにもかかわらず、人の目に錯覚が生じて、前記界面に対して前記距離以上に第１影形成部が前記界面から大きく浮き出て見えて、第１影形成部の厚さ又は透明樹脂シートの厚さ以上に奥行き感が感じられて、薄型であってかつ三次元的な意匠を呈することができる。
【００２１】
また、本発明によれば、前記第１影形成部と前記第２影形成部と前記不透明反射シートとを同系色とすることにより、前記不透明反射シートと前記透明樹脂シートとの前記界面上にそれぞれ形成される前記第１影形成部の影と前記第２影形成部の影とを同様な色とした上で、第１影形成部で形成される影よりも認識困難な影を第２影形成部で形成し、かつ、前記第１影形成部に対して前記第２影形成部が途切れるように配置している。この結果、第２影形成部の影よりも認識容易な影を形成する第１影形成部が第２影形成部よりも不透明反射シートに対して浮き出て見え、かつ、前記第１影形成部に対して前記第２影形成部が途切れるように配置しているため、あたかも前記第１影形成部の下側を前記第２影形成部がくぐっているかのように見える。よって、全体として、前記第１影形成部と前記第２影形成部とを同一面上に配置しているにもかかわらず、前記第１影形成部が前記第２影形成部よりも前記不透明反射シートに対して浮き出て見え、奥行き感のある意匠を醸し出すことができる。
【図面の簡単な説明】
【００２２】
【図１】本発明の第１実施形態にかかる加飾シートが成形樹脂部に貼り合わされた加飾品の平面図である。
【図２Ａ】貼り合わせ前の図１の前記加飾シート自体の断面図である。
【図２Ｂ】図２Ａの前記加飾シートが前記成形樹脂部に貼り合わされた加飾品のＡ−Ａ線の断面図である。
【図２Ｃ】図１の前記加飾シートが前記成形樹脂部に貼り合わされた加飾品において、目の錯覚で、実際に見た人が感じる、Ａ−Ａ線の仮想断面構造の図である。
【図３Ａ】本発明の第２実施形態にかかる加飾シートが成形樹脂部に貼り合わされた加飾品の平面図である。
【図３Ｂ】図３Ａの前記加飾シートが前記成形樹脂部に貼り合わされた加飾品のＡ−Ａ線の断面図である。
【図３Ｃ】貼り合わせ前の前記加飾シート自体の断面図である。
【図３Ｄ】図３Ａの前記加飾シートが前記成形樹脂部に貼り合わされた加飾品において、目の錯覚で、実際に見た人が感じる、Ａ−Ａ線の仮想断面構造の図である。
【図４】本発明の第３実施形態にかかる加飾シートが成形樹脂部に貼り合わされた加飾品の平面図である。
【図５Ａ】図４の前記加飾シートが前記成形樹脂部に貼り合わされた加飾品のＡ−Ａ線の断面図である。
【図５Ｂ】図４の前記加飾シートが前記成形樹脂部に貼り合わされた加飾品のＢ−Ｂ線の断面図である。
【図６】図４の前記加飾シートが前記成形樹脂部に貼り合わされた加飾品において、目の錯覚で、実際に見た人が感じる、Ａ−Ａ線の仮想断面構造の図である。
【図７】貼り合わせ前の前記加飾シート自体の断面図である。
【図８Ａ】前記加飾シートを使用して加飾品を形成する工程説明する図である。
【図８Ｂ】前記加飾シートを使用して加飾品を形成する工程説明する図である。
【図８Ｃ】前記加飾シートを使用して加飾品を形成する工程説明する図である。
【図８Ｄ】前記加飾シートを使用して加飾品を形成する工程説明する図である。
【図８Ｅ】前記加飾シートを使用して加飾品を形成する工程説明する図である。
【図８Ｆ】前記加飾シートを使用して加飾品を形成する工程説明する図である。
【図８Ｇ】湾曲した成形樹脂部に前記加飾シート貼り合わした後の加飾品の断面図である。
【図９】従来の化粧板シートの断面図である。
【図１０】従来の射出成形同時加飾品の断面図である。
【発明を実施するための形態】
【００２３】
以下、図面を参照して本発明における実施形態を詳細に説明する。
【００２４】
（第１実施形態）
本発明の第１実施形態にかかる加飾シート１１は、図２Ａに示すように、ベースシート（表面保護層）６上に印刷などにより積層配置された印刷加飾層４を有しかつ光透過材料で構成された接着層５と、ベースシート（表面保護層）６と接着層５を介して接着される透明樹脂シート３と、透明樹脂シート３上に積層配置された不透明反射シート２とを積層して構成されている。
【００２５】
このような加飾シート１１は、公知の貼り合わせ工程により、不透明反射シート２が成形樹脂部７の表面に一体的に接着固定されることにより貼り合わされ、図２Ｂに示すように、ベースシート６が最外層となって加飾シート１１が成形樹脂部７の表面に固定された加飾品１を形成することができる。
【００２６】
このようにして形成される加飾品１は、図１及び図２Ｂに示すように、最外面としてのベースシート６と、ベースシート６上に配置された印刷加飾層４と、ベースシート６上に配置されかつ印刷加飾層４を囲むように配置された接着層５と、接着層５上に配置された透明樹脂シート３と、透明樹脂シート３上に配置された不透明反射シート２と、不透明反射シート２と接着層又は射出成形時の溶着により固定された成形樹脂部７とを少なくとも備えて構成されている。
【００２７】
加飾品１の最外面にベースシート６が配置されるので、ベースシート６は表面保護層としての機能を有しているが、場合によってはハードコート層としての機能も備えてもよく、その場合にはハードコート層６と称することもできる。ベースシート６は、透明樹脂シート３及び印刷加飾層４を保護するためのものであり、アクリルフィルムなどで構成される。ベースシート６の他の材料としては、アクリル、ポリカーボネート、ＡＢＳ、ポリスチレン、ポリウレタン、ナイロン、エチレンビニルアルコールなどの単層、若しくは２層以上からなるフィルムが好ましい。
【００２８】
ベースシート６の厚さとしては、５０μｍ〜３００μｍが好ましい。ベースシート６の厚さが５０μｍ未満であると、アクリルなどの材料では薄すぎて、製造が困難になる。ベースシート６の厚さが３００μｍを越えると、予備成形時に金型の内面に良好に沿わせることが困難になるため、好ましくない。
【００２９】
接着層５は、ベースシート６と透明樹脂シート３とを接着しかつ印刷加飾層４を有するものであって、光透過材料の塩酢ビ系（塩化ビニル−酢酸ビニル共重合樹脂系）などで構成される。接着層５の他の材料としては、光透過性を有し、かつ、ウレタン樹脂、アクリルケトン樹脂、アクリルビニル樹脂、アクリル樹脂、若しくは、これらの材料のうちの２種以上からなる混合物が好ましい。
【００３０】
透明樹脂シート３は、不透明反射シート２の表面２ａ上に接着などにより固定されている。接着層５内で、かつ、不透明反射シート２の表面２ａと平行な、ある１つの平面（例えば、接着層５の外面５ｂ又はベースシート６の内面）沿いに形成された印刷加飾層４の各加飾層が、透明樹脂シート３を透過して、不透明反射シート２の表面２ａ（不透明反射シート２と透明樹脂シート３との界面）上にそれぞれの影が形成できるようにしている。透明樹脂シート３は、不透明反射シート２の意匠部形成領域の全面に配置されるのが好ましい。この意匠部形成領域に、印刷加飾層４が形成される。透明樹脂シート３の一例としての透明樹脂としては、ＡＢＳ、ＭＢＳ（メチルメタクリレート・ブタジエン・スチレン）、ポリメタクリル酸メチル（ＰＭＭＡ）、又は、ポリカーボネート（ＰＣ）などが挙げられる。透明樹脂シート３は一枚のシートで構成してもよいし、複数枚のシートで構成してもよい。複数枚のシートで構成する場合には、その間に空気層が介在して界面が目立つことがないようにするため、互いに熱溶着などで密着させるとともに同じ材料とする必要がある。
【００３１】
透明樹脂シート３の厚さとしては、０．１ｍｍ〜５ｍｍが好ましい。透明樹脂シート３の厚さが０．１ｍｍ未満であると、影が明確に形成しにくくなり、立体感（奥行き感）を出しにくい。透明樹脂シート３の厚さが５ｍｍを越えると、予備成形時に金型の内面に良好に沿わせることが困難になるため、好ましくない。透明樹脂シート３の透過率としては、後述するように不透明反射シート２と透明樹脂シート３との界面２ａ上の印刷加飾層４の影が明瞭に見えるように、８０％以上であることが好ましい。
【００３２】
不透明反射シート２は、光を透過せず反射することにより、不透明反射シート２及び透明樹脂シート３よりも外側に配置される接着層５内の各印刷加飾層４の各加飾層の影を、不透明反射シート２の表面２ａ（不透明反射シート２と透明樹脂シート３との界面）上に確実に形成可能とするものである。また、不透明反射シート２の色は各加飾層の色と同化しないようにすることにより、立体感を損なわないようにするのが好ましい。不透明反射シート２は、熱可塑性樹脂より構成して、成形樹脂部７と接着可能であることが好ましい。不透明反射シート２の一例としての樹脂としては、不透明な、ＡＢＳ、又は、ＰＣ−ＡＢＳ樹脂などが挙げられる。
【００３３】
前記印刷加飾層４は、第１影形成部２１を少なくとも有しており、第１影形成部２１が複数存在する場合には、不透明反射シート２の表面２ａに対して複数の第１影形成部２１が互いに同一の距離に位置するように、不透明反射シート２の表面２ａに平行な接着層５内の同一面上（例えば、ベースシート６の内面上）に第１影形成部２１が形成されている。
【００３４】
第１影形成部２１は、光遮蔽材料で構成され、前記接着層５の外面５ｂ上に部分的に配置され、認識容易な影２１ｓを前記不透明反射シート２の表面２ａ上に形成可能な層である。すなわち、第１影形成部２１が光遮蔽材料で構成されているため、光が第１影形成部２１を透過せず、光により第１影形成部２１の影２１ｓを前記不透明反射シート２の表面２ａ上に、はっきりと、濃い影として形成することができる。
【００３５】
簡単に言えば、第１影形成部２１は、不透明反射シート２の表面２ａに濃い影２１ｓを形成するものであり、第１影形成部２１は濃い影形成部として機能する。
【００３６】
濃い影２１ｓを形成するためには、加飾層での隠蔽性を高くすればよい。この第１実施形態では、加飾層と加飾層で形成する影との同化を防ぐため、加飾層の明度としては、ある程度高くすることが好ましい。つまり、明度が高くかつ隠蔽のできるインキを加飾層に使用する場合、その加飾層の影を、よりはっきりと認識することができて、立体感を感じさせることができ、好ましい。
【００３７】
一例として、第１影形成部２１の透過率は４０％以下であるのが好ましい。
【００３８】
また、一例として、第１影形成部２１としては、白度が高く、面積の大きな色柄が好ましい。ここで言う「白度が高く」とは、第１影形成部２１を浮いたように見えるようにするため、第１影形成部２１は、不透明反射シート２の白色と可能な限り近い白色でかつ明度が高い（明度がおおよそ８５％〜９０％以上である）という意味である。また、「面積の大きな色柄」とは、第１影形成部２１の柄面積が小さすぎると、柄の周辺から漏れてくる光の影響で第１影形成部２１の影が効果的に形成されなくなる。このため、第１影形成部２１としては、少なくとも１ｍｍ２以上の柄面積であることが好ましい。
【００３９】
また、前記第１影形成部２１と前記不透明反射シート２とは同系色であるのが好ましい。背景の樹脂（不透明反射シート２）の色と、前記第１影形成部２１の色とが近しい色のほうが、立体感を感じやすいためである。例えば、前記第１影形成部２１と不透明反射シート２とを白色系統（例えば、濃い白、乳白色、濃いグレー、薄いグレー、パール色、薄いパール色など）とするのが好ましい。一例として、第１影形成部２１と不透明反射シート２とを白色系統とする場合、前記不透明反射シート２と第１影形成部２１とはそれぞれ白色の加飾層とグレーの加飾層とするか、パール色の層と薄いパール色の層とすることができる。もちろん、本発明は白色系統に限定されるものではなく、例えば、白に近い色、黄色、薄いピンク色、水色などの系統でも可能であるし、漆黒ほど黒くは無くかつ影を認識できる程度の黒色でも可能である。
【００４０】
特に、不透明反射シート２と第１影形成部２１とは、可能な限り近い色でかつ明度が高いほうが望ましい。その理由は、第１影形成部２１により不透明反射シート２上に影を形成するとき、よりはっきりと、影を認識できるためである。
【００４１】
前記した加飾シート１１を製造する場合、例えば、透明樹脂シート３の上面に蒸着又は印刷又は転写などにより印刷加飾層４を部分的に形成したのち、透明樹脂シート３の上面の例えば全面に接着層５及びベースシート６をそれぞれ順次形成する一方、透明樹脂シート３の下面の例えば全面に不透明反射シート２を加熱圧着などにより積層形成すればよい。又は、このような方法に代えて、ベースシート６の上面に蒸着又は印刷又は転写などにより印刷加飾層４を部分的に形成したのち、ベースシート６の上面の例えば全面に接着層５を介して透明樹脂シート３に接着する一方、透明樹脂シート３の他方の面の例えば全面に不透明反射シート２を加熱圧着などにより積層形成すればよい。又は、印刷加飾層４と接着層５とベースシート６とを転写層として基体シート上に予め印刷形成したのち、前記転写層を透明樹脂シート３に転写し、基体シートを剥がすことにより、前記した加飾シート１１を製造することもできる。この場合、ベースシート６をハードコートとすると、表面の耐擦傷性を向上させることができる。
【００４２】
このように製造された加飾シート１１を、以下の射出成形金型などを使用する射出成形工程で加飾品１に一体的に固定される。
【００４３】
まず、プレフォーミング用金型７１の凹部７１ａ上の所定位置に加飾シート１１を配置して仮固定し、ヒーター７０で加飾シート１１を加熱して軟化させる（図８Ａ参照）。
【００４４】
次いで、真空成形又は圧空成形により、加飾シート１１を、所望の立体的な製品形状すなわちプレフォーミング用金型７１の凹部７１ａの形状に沿うようにプレフォーミングする（図８Ｂ参照）。
【００４５】
次いで、加飾シート１１Ｘの不要部分をトリミングして除去する（図８Ｃ参照）。
【００４６】
次いで、プレフォーミングしかつトリミング済みの加飾シート１１Ｘを保持部材７３で保持して、キャビティ７２ａを有する射出成形金型７２へ挿入する（図８Ｄ参照）。
【００４７】
次いで、射出成形金型７２の型閉じ後、樹脂７４をキャビティ７２ａに充填して、樹脂７４により成形される成形樹脂部７と加飾シート１１Ｘの不透明反射シート２とが一体的な接着されるようにして、加飾品１を形成する（図８Ｅ参照）。
【００４８】
次いで、取り出しロボット又は保持部材７３で射出成形金型７２のキャビティ７２ａから加飾品１を取り出す（図８Ｆ参照）。
【００４９】
本第１実施形態によれば、前記したような加飾シート１の構成とすることにより、第１影形成部２１と不透明反射シート２とが同系色であるため、全体として落ち着いた感じが感じられ、色の差よりも、同系色間での濃淡の差、言い換えれば、立体感に注意が注がれやすくなり（影の差違が目立ちやすくなり）、立体感をより感じやすくなる。よって、実際には、前記不透明反射シート２の表面２ａに対する前記第１影形成部２１の厚さ方向の位置の寸法差はあまり無いにもかかわらず、人の目に錯覚が生じて、前記不透明反射シート２の表面２ａに対して、前記寸法差以上に第１影形成部２１が大きく浮き出て見える。この結果、全体として薄肉であるにもかかわらず、立体的な意匠を醸し出すことが可能となる。
【００５０】
加飾シート１の全体の厚みとしては、一例として、０．２ｍｍ〜５ｍｍが好ましい。加飾シート１の全体の厚みが０．２ｍｍより薄い場合には、薄すぎて加飾シート１を取り扱いにくくなる一方、加飾シート１の全体の厚みが５ｍｍより大きい場合には、射出成形前にプレフォーミングしにくくなり、好ましくないためである。より好ましくは、０．４ｍｍ〜０．８ｍｍが好ましい。加飾シート１の全体の厚みが０．４ｍｍより大きければ、加飾シート１が取り扱いやすいとともに、加飾シート１の全体の厚みが０．８ｍｍより小さい場合には、射出成形前にプレフォーミングしやすいためである。
【００５１】
なお、図２Ｃは、実際の構造である図２Ｂとは異なり、人の目で見た感覚を基に、人が認識する断面構造を仮想的に記載したものである。この図２Ｃのように、第１影形成部２１と不透明反射シート２とが同系色であることにより、前記不透明反射シート２の表面２ａに対する前記第１影形成部２１の厚さ方向の位置の寸法差（不透明反射シート２の表面２ａと前記第１影形成部２１との間の距離）はあまり無いにもかかわらず、人の目に錯覚が生じて、前記不透明反射シート２の表面２ａに対して、前記寸法差以上に第１影形成部２１が大きく浮き出て見えて、第１影形成部２１の厚さ又は透明樹脂シート３の厚さ以上に奥行き感が感じられて、薄型であってかつ三次元的な意匠を呈することができる。
【００５２】
特に、従来のように、前記不透明反射シート２の表面２ａに対する第１影形成部２１の厚さ方向の位置を大きくして立体感を醸し出そうとする場合と比較して、全体の厚さを大幅に小さくすることができ、薄肉でかつ立体感あふれる意匠を形成することができる。
【００５３】
また、従来のように、エンボス加工又はその他の三次元的な加工をすることなく、薄肉でかつ立体感あふれる意匠を形成することができ、工数削減及びコスト低減に寄与することができる。また、エンボス加工又はその他の三次元的な加工を行っても、射出成形前のプレフォーミング段階での真空成形時などにおける加熱延伸時に、立体感を消失することがあったが、本発明においては、加熱延伸しても立体感を消失することが少なく、柚子肌などの外観表面に問題が発生することもなく、加工性に優れた加飾シート１１を得ることができる。
【００５４】
１つの具体例としては、ベースシート（表面保護層）６は厚さ５０μｍ〜３００μｍのアクリルフィルム、このアクリルフィルムに印刷形成された第１影形成部２１は厚さ１μｍのアクリル系インク層、接着層は厚さ３μｍ〜３０μｍの塩酢ビ系（塩化ビニル−酢酸ビニル共重合樹脂系）、透明樹脂シート３は厚さ０．１ｍｍ〜５ｍｍのＡＢＳフィルム又はＭＢＳ（メチルメタクリレート・ブタジエン・スチレン）フィルム、不透明反射シート２は厚さ０．１ｍｍ〜５ｍｍである。さらに、加飾シート１１の全体の厚さは約０．２ｍｍ〜５ｍｍの範囲内に収まるようにする。
【００５５】
このように前記第１実施形態においては、影の濃淡と同系色との組み合わせに関して、第１影形成部２１の加飾層と加飾層で形成される影との同化を防ぐため、加飾層としては、なるべく明度が高い（明度がおおよそ８５％〜９０％以上の）色で形成するのがよい。
【００５６】
さらに、加飾層が複数存在し、かつ同色の加飾層以外にも、互いに色が異なる加飾層が存在するように構成する場合には、加飾層同士において、同色の柄がなるべく１箇所に固まらず、他の色の柄と複雑に重なり合っているほうが好ましい。このように配置することにより、それらの加飾層同士において、立体感をより明確に感じやすくすることができる。
【００５７】
また、従来、風景画では、遠近感を出すため、手前の対象物の彩度を高く描き、奥の対象物の彩度を下げ、明度を高く描くという手法があった。これに対して、前記第１実施形態では、そのような手法によるのではなく、加飾層自体の明度と、加飾層により不透明反射シート２に形成される影とを有機的に利用し、視覚的に立体感を感じやすくして、加飾層の厚さ以上の立体感を感じやすくしたものである。
【００５８】
また、前記第１実施形態によれば、前記第１影形成部２１と前記不透明反射シート２とは同系色とすることにより、前記第１影形成部２１と前記不透明反射シート２との濃淡の差に注目しやすくした状態で、目の錯覚を利用して、不透明反射シート２の表面２ａ上に前記第１影形成部２１により、認識しやすい濃い影２１ｓを形成して不透明反射シート２の表面２ａから浮き出た位置に配置されているように見せることができる。
【００５９】
よって、前記不透明反射シート２の表面２ａに対する前記第１影形成部２１の厚さ方向の位置の寸法差はあまり無いにもかかわらず、人の目に錯覚が生じて、前記不透明反射シート２の表面２ａに対して、前記寸法差以上に第１影形成部２１が大きく浮き出て見えて、第１影形成部２１の厚さ以上に奥行き感が感じられて、薄型であってかつ三次元的な意匠を呈することができる。
【００６０】
（第２実施形態）
次に、本発明の第２実施形態にかかる加飾シートとして、前記第１実施形態の構成とは異なり、図３Ａ〜図３Ｃに示すように、前記印刷加飾層４は、第１影形成部２１と第２影形成部２２とを少なくとも有しており、不透明反射シート２の表面２ａ（不透明反射シート２と透明樹脂シート３との界面）に対して同一の距離に位置するように、不透明反射シート２の表面２ａに平行な接着層５内の同一面５ｂ上に第１影形成部２１と第２影形成部２２とが形成されていてもよい。
【００６１】
第１影形成部２１は、光遮蔽材料で構成され、前記接着層５の外面５ｂ上に部分的に配置され、認識容易な影２１ｓを前記不透明反射シート２の表面２ａ上に形成可能な層である。すなわち、第１影形成部２１が光遮蔽材料で構成されているため、光が第１影形成部２１を透過せず、光により第１影形成部２１の影２１ｓを前記不透明反射シート２の表面２ａ上に、はっきりと、濃い影として形成することができる。
【００６２】
第２影形成部２２は、光透過材料で構成され、前記接着層５の外面５ｂ上に部分的に配置され、前記透明樹脂シート３を透過する光により前記第１影形成部２１で形成される影２１ｓよりも認識困難な影２２ｓを前記不透明反射シート２の表面２ａ上に形成可能な層である。すなわち、第２影形成部２２が光透過材料で構成されているため、光が第２影形成部２２を透過し、光により第２影形成部２２の影２２ｓを前記不透明反射シート２の表面２ａ上に、ぼんやりとした、明瞭でない、薄い影として形成することができる。
【００６３】
簡単に言えば、第１影形成部２１は、不透明反射シート２の表面２ａに濃い影２１ｓを形成する一方、第２影形成部２２は、不透明反射シート２の表面２ａに薄い影２２ｓを形成するものであるため、第１影形成部２１は濃い影形成部として機能し、第２影形成部２２は薄い影形成部として機能する。
【００６４】
濃い影２１ｓを形成するためには、加飾層での隠蔽性を高くすればよい一方、逆に、薄い影２２ｓを形成するためには、隠蔽性を低くすればよい。この第２実施形態では、加飾層と加飾層で形成する影との同化を防ぐため、加飾層の明度としては、ある程度高くすることが好ましい。つまり、明度が高くかつ隠蔽のできるインキを加飾層に使用する場合、その加飾層の影を、よりはっきりと認識することができる。また、濃い影と薄い影はなるべく接近させるか、若しくは、接していたほうが、両者の差異を明確に認識できて、立体感を感じさせることができて、好ましい。
【００６５】
また、一例として、第１影形成部２１の透過率が４０％以下であるとき、第２影形成部２２の透過率が５０％以上であるのが好ましい。言い換えれば、第１影形成部２１と第２影形成部２２との光透過率の差としては、少なくとも１０％以上あれば、第１影形成部２１と第２影形成部２２との差を明確に認識することができて、好ましい。
【００６６】
また、印刷加飾層４と不透明反射シート２とは同系色とし、かつ、印刷加飾層４の前記第１影形成部２１と前記第２影形成部２２と同士も同系色である。すなわち、前記第１影形成部２１と前記第２影形成部２２と前記不透明反射シート２とは同系色である。背景の樹脂（不透明反射シート２）の色と、印刷加飾層４の色とが近しい色のほうが、立体感を感じやすいためである。例えば、印刷加飾層４と不透明反射シート２とを白色系統（例えば、濃い白、乳白色、濃いグレー、薄いグレー、パール色、薄いパール色など）とするのが好ましい。一例として、印刷加飾層４と不透明反射シート２とを白色系統とする場合、前記第１影形成部２１と前記第２影形成部２２とはそれぞれ白色の加飾層とグレーの加飾層とするか、パール色の層と薄いパール色の層とすることができる。もちろん、本発明は白色系統に限定されるものではなく、例えば、白に近い色、黄色、薄いピンク色、水色などの系統でも可能であるし、漆黒ほど黒くは無くかつ影を認識できる程度の黒色でも可能である。
【００６７】
不透明反射シート２と第１影形成部２１とは、可能な限り近い色でかつ明度が高いほうが望ましい。その理由は、第１影形成部２１により不透明反射シート２上に影を形成するとき、よりはっきりと、影を認識できるためである。
【００６８】
さらに、前記第１影形成部２１と前記第２影形成部２２とが意匠的に重なる部分（例えば、第１影形成部２１の線状部分と前記第２影形成部２２の線状部分とが交差する部分）（以下、単に「交差する部分」と称する。）２９において、前記第１影形成部２１の線状部分に対して前記第２影形成部２２の線状部分が途切れるように配置して、あたかも、前記第１影形成部２１の線状部分の下側に前記第２影形成部２２の線状部分が配置されてる（前記第１影形成部２１の線状部分の下側を前記第２影形成部２２の線状部分がくぐっている）かのように見せるように構成している（図３Ｄの２９ａ参照）。
【００６９】
前記したような構成とすることにより、印刷加飾層４と不透明反射シート２とが同系色であり、かつ、印刷加飾層４の前記第１影形成部２１と前記第２影形成部２２と同士も同系色であるため、全体として落ち着いた感じが感じられ、色の差よりも、同系色間での濃淡の差、言い換えれば、立体感に注意が注がれやすくなり（影の差違が目立ちやすくなり）、立体感をより感じやすくなる。
【００７０】
さらに、前記第１影形成部２１の影２１ｓが前記第２影形成部２２の影２２ｓよりも濃く、不透明反射シート２の表面２ａ上に形成されているため、図３Ｄに仮想的に示すように、第１影形成部２１が第２影形成部２２よりも浮き出ているかのように錯覚して見える。
【００７１】
さらに、前記交差する部分２９が存在することにより、不透明反射シート２の表面２ａ上に対する前記第１影形成部２１と前記第２影形成部２２との厚さ方向の配置関係が明確に認識可能となり、前記第２影形成部２２よりも前記第１影形成部２１が手前側に（表面側に）位置しているように見える効果がある。
【００７２】
これらの３つの効果が相乗的に作用して、実際には、前記不透明反射シート２の表面２ａに対する前記第１影形成部２１と前記第２影形成部２２との厚さ方向の位置の差は無いにもかかわらず、人の目に錯覚が生じて、前記不透明反射シート２の表面２ａに対して、前記第１影形成部２１が前記第２影形成部２２よりも浮き出て見える。この結果、全体として薄肉であるにもかかわらず、立体的な意匠を醸し出すことが可能となる。
【００７３】
なお、図３Ｄは、実際の構造である図３Ｃとは異なり、人の目で見た感覚を基に、人が認識する断面構造を仮想的に記載したものである。この図３Ｄのように、印刷加飾層４と不透明反射シート２とが同系色であること、異なる影形成部２１，２２間で影２１ｓ，２２ｓに明確な濃淡の差があることと、２つの影形成部２１，２２間で交差部分２９があることの３つの相乗的な効果により、第１影形成部２１と前記第２影形成部２２とが同一面上に形成されているにもかかわらず、第１影形成部２１又は前記第２影形成部２２の厚さ以上に奥行き感が感じられて、薄型であってかつ三次元的な意匠を呈することができる。
【００７４】
特に、従来のように、第１影形成部２１の厚さと前記第２影形成部２２の厚さとの差、又は、第１影形成部２１の厚さ方向の位置と前記第２影形成部２２の厚さ方向の位置との差に基づいて立体感を醸し出そうとする場合と比較して、全体の厚さを大幅に小さくすることができ、薄肉でかつ立体感あふれる意匠を形成することができる。
【００７５】
１つの具体例としては、ベースシート（表面保護層）６は厚さ５０μｍ〜３００μｍのアクリルフィルム、このアクリルフィルムに印刷形成された第１影形成部２１及び前記第２影形成部２２のそれぞれは厚さ１μｍのアクリル系インク層、接着層は厚さ２μｍ〜２９μｍの塩酢ビ系（塩化ビニル−酢酸ビニル共重合樹脂系）、透明樹脂シート３は厚さ０．１ｍｍ〜５ｍｍのＡＢＳフィルム又はＭＢＳ（（メチルメタクリレート・ブタジエン・スチレン）フィルム、不透明反射シート２は厚さ０．１ｍｍ〜５ｍｍである。
【００７６】
このように前記第２実施形態においては、影の濃淡と同系色との組み合わせに関して、印刷加飾層４の加飾層と加飾層で形成される影との同化を防ぐため、加飾層としては、なるべく明度が高い（明度がおおよそ８５％〜９０％以上の）色で形成するのがよい。
【００７７】
また、濃い影と薄い影とはなるべく接近させるか、若しくは、接するように、第１影形成部２１と第２影形成部２２とを配置して、濃い影と薄い影との濃淡の差を、より明確に認識できるようにするのが好ましい。このように配置することにより、第１影形成部２１と第２影形成部２２との間での立体感をより明確に感じやすくすることができる。
【００７８】
さらに、加飾層同士において、同色の柄がなるべく１箇所に固まらず、他の色の柄と複雑に重なり合っているほうが好ましい。このように配置することにより、それらの加飾層同士において、立体感をより明確に感じやすくすることができる。
【００７９】
また、従来、風景画では、遠近感を出すため、手前の対象物の彩度を高く描き、奥の対象物の彩度を下げ、明度を高く描くという手法があった。これに対して、前記第２実施形態では、そのような手法によるのではなく、加飾層自体の明度と、加飾層により不透明反射シート２に形成される影とを有機的に利用し、視覚的に立体感を感じやすくして、加飾層の厚さ以上の立体感を感じやすくしたものである。
【００８０】
また、前記第２実実施形態によれば、前記第１影形成部２１と前記第２影形成部２２と前記不透明反射シート２とは同系色とすることにより、前記第１影形成部２１と前記第２影形成部２２との濃淡の差に注目しやすくした状態で、目の錯覚を利用して、不透明反射シート２の表面２ａ上に前記第１影形成部２１により、認識しやすい濃い影２１ｓを形成して不透明反射シート２の表面２ａから浮き出た位置に配置されているように見せる一方、不透明反射シート２の表面２ａ上に前記第２影形成部２２により、認識しにくい薄い影２２ｓを形成して不透明反射シート２の表面２ａに対して沈んだ位置に配置されているように見せることができる。さらに、前記第１影形成部２１の線状部分と前記第２影形成部２２の線状部分との交差部分２９で、前記第１影形成部２１の線状部分に対して前記第２影形成部２２の線状部分が途切れるように配置している。
【００８１】
この結果、第２影形成部２２の影２２ｓよりも認識容易な影２１ｓを形成する第１影形成部２１が第２影形成部２２よりも不透明反射シート２の表面２ａに対して浮き出て見え、かつ、前記第１影形成部２１の線状部分に対して前記第２影形成部２２の線状部分が途切れるように配置しているため、あたかも前記第１影形成部２１の線状部分の下側を前記第２影形成部２２の線状部分がくぐっているかのように見える。
【００８２】
よって、前記第１影形成部２１と前記第２影形成部２２とを同一面上に接着層５内に配置しているにもかかわらず、図３Ｄに示すように、前記第１影形成部２１が前記第２影形成部２２よりも前記不透明反射シート２に対して浮き出て見え、奥行き感のある意匠を醸し出すことができる。
【００８３】
（第３実施形態）
次に、本発明の第２実施形態にかかる加飾シート１１をより具体化した第３実施形態にかかる加飾シート１１Ｂについて、図４〜図７に基づいて、以下説明する。
【００８４】
加飾シート１１Ｂは、図７に示すように、ベースシート６と、ベースシート６上に印刷などにより積層配置された印刷加飾層４を有する接着層５と、ベースシート（表面保護層）６と接着層５を介して接着される透明樹脂シート３と、透明樹脂シート３上に積層配置された不透明反射シート２とを備えて構成されている。
【００８５】
このような加飾シート１１Ｂは、公知の貼り合わせ工程により、不透明反射シート２が成形樹脂部７の表面に一体的に接着固定されることにより貼り合わされ、図５Ａに示すように、ベースシート６が最外層となって加飾シート１１Ｂが成形樹脂部７の表面に固定された加飾品１を形成することができる。
【００８６】
このようにして形成される加飾品１Ｂは、成形樹脂部７と、成形樹脂部７上に接着層又は射出成形時の溶着により固定された不透明反射シート２と、前記不透明反射シート２上に配置された透明樹脂シート３と、前記透明樹脂シート３上に配置された接着層５と、接着層５内の不透明反射シート２の表面２ａ（不透明反射シート２と透明樹脂シート３との界面）と平行な、ある１つの平面（例えば、接着層５の外面５ｂ）上に配置された印刷加飾層４Ｂと、接着層５の外側に配置されたベースシート６とを少なくとも備えて構成されている。
【００８７】
加飾品１Ｂの最外面にベースシート６が配置されるので、ベースシート６は表面保護層としての機能を有しているが、場合によってはハードコート層としての機能も備えてもよく、その場合にはハードコート層６と称することもできる。ベースシート６は、透明樹脂シート３及び印刷加飾層４Ｂを保護するためのものである。
【００８８】
前記印刷加飾層４Ｂは、接着層５の外面５ｂ上にそれぞれ配置された、白色隠蔽層付きのパール加飾層３１と、白色加飾層３２と、グレー色加飾層３３と、薄パール加飾層３４と、乳白色加飾層３５とで構成されており、全て、白色の同系色で構成されている。不透明反射シート２は白色である。不透明反射シート２の白色は各加飾層の色と同化しないようにすることにより、立体感を損なわないようにするのが好ましい。
【００８９】
白色隠蔽層付きのパール加飾層３１又はその他の加飾層と不透明反射シート２との白色は、同化した方が影を認識しやすいので、白色隠蔽層付きのパール加飾層３１又はその他の加飾層と不透明反射シート２との間での明度差は、無いほうが好ましい。ただし、白色隠蔽層付きのパール加飾層３１の場合、パールの光沢が白よりも目に入りやすいため、より手前に見える効果を生み出す。
【００９０】
白色隠蔽層付きのパール加飾層３１は、パール層の底部に白色隠蔽層を有するものであり、接着層５の外面５ｂ上に部分的に配置され、不透明反射シート２の表面２ａ上に影が最も認識容易に形成されて、最も手前側に位置するように見える層である。白色隠蔽層付きのパール加飾層３１は、パール層の底部に白色隠蔽層を有することにより、光遮蔽機能を発揮することが可能となり、不透明反射シート２の表面２ａ上に影３１ｓが認識容易に形成されて、一番手前側に位置するように見える層である。よって、白色隠蔽層付きのパール加飾層３１は、光遮蔽材料で構成された第１影形成部２１の一例として機能することができる。
【００９１】
パール加飾層３１の構成材料の一例としては、薄片状雲母粒子に酸化チタン又は酸化鉄などの金属酸化物をコートしたものが挙げられる。
【００９２】
白色加飾層３２は、不透明反射シート２の表面２ａと平行な、ある１つの平面（例えば、接着層５の外面５ｂ）沿いに部分的に配置され、白色インキにより構成するため、光遮蔽機能を発揮することが可能となり、不透明反射シート２の表面２ａ上に影３２ｓが認識容易に形成されて、二番目に手前側に位置するように見える層である。よって、白色加飾層３２も、光遮蔽材料で構成された第１影形成部２１の別の例として機能することができる。
【００９３】
グレー色加飾層３３は、接着層５の外面５ｂ上に部分的に配置され、グレー色のインキにより構成するため、光遮蔽機能を発揮することが可能となり、不透明反射シート２の表面２ａ上に影３３ｓがやや認識容易に形成されているが、影３３ｓの色とグレー色加飾層３３自体の色とが同じであるため、さほど浮いて見えず、三番目に手前側に位置するように見える層である。よって、グレー色加飾層３３も、光遮蔽材料で構成された第１影形成部２１のさらに別の例として機能することができる。
【００９４】
ここで、パール加飾層３１の影と白色加飾層３２の影とグレー色加飾層３３の影については、実質的に同等の濃さである。又は、グレー色加飾層３３の影が最も濃く、パール加飾層３１の影と白色加飾層３２の影とは同じ濃さ程度である。グレー色加飾層３３は白色よりも隠蔽性が高く、影も濃く形成されやすいからである。一方、明度としては、パール加飾層３１が最も高く、次いで、白色加飾層３２で、次にグレー色加飾層３３の順に高い。このことから、加飾層自体の明度と影の濃さとが相乗的に組み合わさって、視覚的には、パール加飾層３１の影が最も認識容易となり、パール加飾層３１が最も手前に配置されているように見える。次いで、白色加飾層３２の影が認識容易となり、白色加飾層３２がパール加飾層３１に次いで手前に配置されているように見える。よって、グレー色加飾層３３が最も奥側に配置されているように見える。
【００９５】
薄パール加飾層３４は、接着層５の外面５ｂ上に部分的に配置され、隠蔽層は無く、光透過材料で構成された薄いパール色の層であるため、光透過機能を発揮することが可能となり、不透明反射シート２の表面２ａ上に影３４ｓが認識しにくく（薄く）形成されて、より奥側に位置するように見える層である。よって、薄パール加飾層３４は、光透過材料で構成された第２影形成部２２の一例として機能することができる。
【００９６】
薄パール加飾層３４の構成材料の一例としては、薄片状雲母粒子に酸化チタン又は酸化鉄などの金属酸化物をコートしたものが挙げられ、パール加飾層３１よりも、希釈剤の量が多く、含有量が少ない。
【００９７】
乳白色加飾層３５は、接着層５の外面５ｂ上に部分的に配置され、光透過材料で構成された乳白色の層であるため、光透過機能を発揮することが可能となり、不透明反射シート２の表面２ａ上に影３５ｓが最も認識しにくく（薄く）形成されて、最も奥側に位置するように見える層である。よって、乳白色加飾層３５も、光透過材料で構成された第２影形成部２２の別の例として機能することができる。
乳白色加飾層３５の構成材料としては、白い顔料インキを希釈剤で薄めたものが挙げられる。
【００９８】
ここで、薄パール加飾層３４の影と乳白色加飾層３５の影とは、濃淡の差はあまりなく、明度としては、薄パール加飾層３４が、乳白色加飾層３５よりも高い。よって、視覚的に、薄パール加飾層３４が、乳白色加飾層３５よりも手間側に見えることになる。
【００９９】
簡単に言えば、白色隠蔽層付きのパール加飾層３１で形成される影３１ｓが最も認識容易に形成され、白色加飾層３２で形成される影３２ｓが次に認識容易に形成され、グレー色加飾層３３で形成される影３３ｓがその次に認識容易に形成され、薄パール加飾層３４で形成される影３４ｓが認識やや困難に形成され、乳白色加飾層３５で形成される影３５ｓが最も認識困難に形成されている。この結果、これらの５層が立体的に配置されているように視覚的に見える。
【０１００】
透過率の一例としては、白色隠蔽層付きのパール加飾層３１の透過率は３５％、白色加飾層３２の透過率は４１％、グレー色加飾層３３の透過率は３６％、薄パール加飾層３４の透過率は７４％、乳白色加飾層３５の透過率は５９％である。
【０１０１】
さらに、各加飾層同士が意匠的に重なる部分（各加飾層の線状部分同士が交差する部分）では、白色隠蔽層付きのパール加飾層３１と、白色加飾層３２と、グレー色加飾層３３と、薄パール加飾層３４と、乳白色加飾層３５との順に、優先的に配置されるように構成している。すなわち、例えば、白色隠蔽層付きのパール加飾層３１と白色加飾層３２との交差部分２９では、図４及び図５Ｂに示すように、白色隠蔽層付きのパール加飾層３１に対して白色加飾層３２が途切れるように配置して、あたかも、白色隠蔽層付きのパール加飾層３１の線状部分の下側に白色加飾層３２の線状部分が配置されてる（白色隠蔽層付きのパール加飾層３１の下側を白色加飾層３２がくぐっている）かのように見せるように構成している。同様に、白色加飾層３２とグレー色加飾層３３との交差部分２９では、白色加飾層３２に対してグレー色加飾層３３が途切れるように配置して、あたかも白色加飾層３２の下側をグレー色加飾層３３がくぐっているかのように見せるように構成している。同様に、グレー色加飾層３３と薄パール加飾層３４との交差部分２９では、グレー色加飾層３３に対して薄パール加飾層３４が途切れるように配置して、あたかもグレー色加飾層３３の下側を薄パール加飾層３４がくぐっているかのように見せるように構成している。同様に、薄パール加飾層３４と乳白色加飾層３５との交差部分２９では、薄パール加飾層３４に対して乳白色加飾層３５が途切れるように配置して、あたかも薄パール加飾層３４の下側を乳白色加飾層３５がくぐっているかのように見せるように構成している。よって、各加飾層同士が交差する部分２９では、白色隠蔽層付きのパール加飾層３１と、白色加飾層３２と、グレー色加飾層３３と、薄パール加飾層３４と、乳白色加飾層３５との順において、上位の加飾層と下位の加飾層とが交差する部分では、上位の加飾層に対して下位の加飾層が途切れるように配置して、あたかも上位の加飾層の下側を下位の加飾層がくぐっているかのように見せるように構成している。
【０１０２】
特に、手前側から奥側に向けて、白色隠蔽層付きのパール加飾層３１と、白色加飾層３２と、グレー色加飾層３３と、薄パール加飾層３４と、乳白色加飾層３５との順において、順位付けで配置されるとき、上位の加飾層とその上位の加飾層のすぐ下位の加飾層とが交差する部分をそれぞれ必ず形成することにより、上位の加飾層と下位の加飾層との順位付けを明確に視覚的に認識可能なようにするのが好ましい。例えば、一位の加飾層（白色隠蔽層付きのパール加飾層３１）と二位の加飾層（白色加飾層３２）との交差部分と、三位の加飾層（グレー色加飾層３３）と四位の加飾層（薄パール加飾層３４）との交差部分とが配置されているのみでは、二位の加飾層（白色加飾層３２）と三位の加飾層（グレー色加飾層３３）との交差部分が無いため、一位の加飾層（白色隠蔽層付きのパール加飾層３１）と三位の加飾層（グレー色加飾層３３）との厚さ方向の配置関係、及び、一位の加飾層（白色隠蔽層付きのパール加飾層３１）と四位の加飾層（薄パール加飾層３４）との厚さ方向の配置関係が不明となり、立体感が損なわれる可能性がある。よって、立体感を確実に醸し出すためには、一位の加飾層（白色隠蔽層付きのパール加飾層３１）と二位の加飾層（白色加飾層３２）との交差部分と、二位の加飾層（白色加飾層３２）と三位の加飾層（グレー色加飾層３３）との交差部分と、三位の加飾層（グレー色加飾層３３）と四位の加飾層（薄パール加飾層３４）との交差部分と、と四位の加飾層（薄パール加飾層３４）と五位の加飾層（乳白色加飾層３５）との交差部分とを設けて、一位の加飾層（白色隠蔽層付きのパール加飾層３１）、二位の加飾層（白色加飾層３２）、三位の加飾層（グレー色加飾層３３）、四位の加飾層（薄パール加飾層３４）、五位の加飾層（乳白色加飾層３５）の順位付けを視覚的に明確に認識できるようにするのが好ましい。
【０１０３】
前記第３実施形態の前記構成によれば、それぞれの加飾層３１〜３５は、実際には、接着層５内では厚さ方向に位置は異なっていないにもかかわらず、目の錯覚として、厚さ方向にそれぞれの位置が大きく異なっているように、立体感を感じることができる。よって、実際の全体の厚みは非常に薄いものであるにもかかわらず、その厚さ以上に奥行き感を感じて、立体感を感じることができる。これは、加飾層の配色を単なる遠近法的な手法で異ならせただけで得られる立体感とは、全く異質の次元の立体感が得られるものであり、特に、濃い影を形成することができる白色隠蔽層付きのパール加飾層３１と白色加飾層３２とは、薄パール加飾層３４と乳白色加飾層３５と比較して、かなり、浮きで出て見えるものである。
【０１０４】
この理由は、第３実施形態でも述べたように、３つの観点が相乗的に作用しているためである。
【０１０５】
すなわち、前記印刷加飾層４Ｂを構成する、白色隠蔽層付きのパール加飾層３１と、白色加飾層３２と、グレー色加飾層３３と、薄パール加飾層３４と、乳白色加飾層３５と、前記白色の不透明反射シート２とは、それぞれ同系色とすることにより、不透明反射シート２の表面２ａ上にそれぞれ形成されている。このため、全体として落ち着いた感じが感じられ、色の差よりも、同系色間での濃淡の差、言い換えれば、立体感に注意が注がれやすくなり、立体感をより感じやすくなる。
【０１０６】
次に、さらに、白色隠蔽層付きのパール加飾層３１の影３１ｓが最も認識容易に形成され、次に、白色加飾層３２の影３２ｓが認識容易に形成され、次に、グレー色加飾層３３の影３３ｓが認識容易に形成され、次に、薄パール加飾層３４の影３４ｓが認識やや困難に形成され、最後に、乳白色加飾層３５の影３５ｓが最も認識困難に形成されている。このため、図６に仮想的に示すように、目の錯覚により、白色隠蔽層付きのパール加飾層３１が最も大きく浮き出て見え、次に、白色加飾層３２が大きく浮き出て見え、次に、グレー色加飾層３３が浮き出て見え、次に、薄パール加飾層３４がやや沈んで見え、最後に、乳白色加飾層３５が最も沈んで見える。
【０１０７】
さらに、前記交差する部分２９が存在することにより、不透明反射シート２の表面２ａ上に対する、白色隠蔽層付きのパール加飾層３１と、白色加飾層３２と、グレー色加飾層３３と、薄パール加飾層３４と、乳白色加飾層３５との厚さ方向の配置関係がそれぞれ明確に認識可能となり、手前側から奥側に向けて、白色隠蔽層付きのパール加飾層３１と、白色加飾層３２と、グレー色加飾層３３と、薄パール加飾層３４と、乳白色加飾層３５との順に見える効果がある。
【０１０８】
これらの３つの効果が相乗的に作用して、実際には、前記不透明反射シート２の表面２ａに対する５つの加飾層３１〜３５の厚さ方向の位置の差は無いにもかかわらず、人の目に錯覚が生じて、前記不透明反射シート２の表面２ａに対して、５つの加飾層３１〜３５がそれぞれ厚さ方向の位置が異なって浮き出て見える。この結果、全体として薄肉であるにもかかわらず、立体的な意匠を醸し出すことが可能となる。
【０１０９】
（変形例）
なお、本発明は前記実施形態に限定されるものではなく、その他種々の態様で実施できる。
【０１１０】
前記第１又は第２実施形態にかかる加飾シート１１を湾曲した樹脂成形部７Ｇに固定された加飾品１Ｇの場合について、図８Ｇに示す。この変形例は、第３実施形態についても適用可能である。図８Ｇに示すように、不透明反射シート２と透明樹脂シート３と接着層５とベースシート６とが凸形状をなすように湾曲して、第１影形成部２１の認識容易な影が不透明反射シートと透明樹脂シート３との界面２ａ上に、湾曲せずに平面状態の場合（図２Ｂの場合）よりも大きく形成されている。これは、加飾品１の表面に固定された加飾シート１１が湾曲しているため、人が加飾品１を見るとき、加飾シート１１の表面から前記界面２ａ上の影までの距離が、ベースシート６と接着層５と透明樹脂シート３との合計厚さよりも大きくなり、第１影形成部２１よりも影が前記界面２ａ上に大きく形成されることになる。この結果、第１影形成部２１自体の大きさよりも影が大きくなり、第１影形成部２１が界面２ａから、より浮き出たように見え、立体感が大きくなる。また、湾曲した曲面を有する加飾品１の場合、人の見る方向が少し変われば、人の見る方向と加飾品１の表面とのなす角度が容易に変化することになる。すなわち、第１影形成部２１の影を考慮しない状態でも、加飾品１の表面が湾曲面であると、平面の場合と比較して、人の見る角度により、平面のように、見栄えが均一にかつ規則的に変化するのではなく、湾曲面により、見栄えが不均一にかつ不規則的に変化することになる。このように見栄えが大きく変化する上に、湾曲面のために、第１影形成部２１により形成される影の大きさも容易に変化することになり、第１影形成部２１が界面２ａから、より浮き出たり、又は、少し沈んだりするように見える効果が発揮できるとともに、前記したように第１影形成部２１により形成された影による立体感を醸し出す効果との相乗的な効果で、人は立体感を感じやすくなる。
【０１１１】
また、第３実施形態においては、前記第１影形成部２１として、白色隠蔽層付きのパール加飾層３１と、白色加飾層３２と、グレー色加飾層３３とを有するとともに、前記第２影形成部２２は、薄パール加飾層３４と、乳白色加飾層３５とを有するものとして説明しているが、これに限定されるものではない。例えば、白色隠蔽層付きのパール加飾層３１と薄パール加飾層３４とを省略して、前記第１影形成部２１は、白色加飾層３２と、グレー色加飾層３３とを有するとともに、前記第２影形成部２２は、乳白色加飾層３５とを有するように構成してもよい。又は、白色加飾層３２と乳白色加飾層３５とを省略して、前記第１影形成部２１は、白色隠蔽層付きのパール加飾層３１と、グレー色加飾層３３とを有するとともに、前記第２影形成部２２は、薄パール加飾層３４とを有するように構成してもよい。
【０１１２】
例えば、各加飾層の形状として、線状のパターン形状の方が、影がはっきりと出やすく、より立体感を醸し出しやすくなる。しかしながら、本発明は、線状のパターンに限定されるものではなく、ドット形状など他の形状でも適用可能である。
【０１１３】
特に、各加飾層のパターンの輪郭としては、明確でシャープな輪郭であれば、ぼやけた輪郭を有する場合と比較して、影が明確に形成しやすいため、立体感を醸し出しやすくなる。
【０１１４】
影を薄く形成する場合には、透過性のあるメタリックの加飾層を形成したり、明度の低いインキで加飾層を形成すればよい。これに対して、影を刻形成する場合には、透過性の無いインキの加飾層、又は、透過性のある加飾層の裏面に隠蔽層を形成したり、明度の他高いインキで加飾層を形成すればよい。
【０１１５】
印刷加飾層４又は４Ｂにおいて、例えば、印刷加飾層４又は４Ｂを形成可能な意匠面の中心部分には薄い柄、周囲部分にははっきりとした柄を配置することにより、より遠近感を出しやすくして、立体感を醸し出しやすくすることもできる。
【０１１６】
また、各加飾層の絵柄として、線状部分を細くして影をより明確に形成しやすくするほか、凹凸部分を多数形成して、影をより多く発生させて、より立体感を出しやすくするようにしてもよい。
【０１１７】
また、各加飾層の絵柄として、一個一個の加飾層の面積が小さいか又は細い絵柄パターンであると、影の見える面積が大きくなり、より一層、立体感が生じさせることができる。
【０１１８】
なお、前記様々な実施形態又は変形例のうちの任意の実施形態又は変形例を適宜組み合わせることにより、それぞれの有する効果を奏するようにすることができる。
【産業上の利用可能性】
【０１１９】
本発明にかかる加飾シートは、薄型であってかつ三次元的な意匠を呈することができ、各種機器（各種携帯機器、パーソナルコンピュータ、家電製品など）又は設備又は自動車の内装品などの表面に配置可能な加飾シート等として有用である。
【符号の説明】
【０１２０】
１，１Ａ，１Ｂ，１Ｇ…加飾品、
２…不透明反射シート、
２ａ…表面、
３…透明樹脂シート、
４，４Ｂ…印刷加飾層、
５…接着層、
５ｂ…外面、
６…ベースシート、
７，７Ｇ…成形樹脂部
１１，１１Ａ，１１Ｂ…加飾シート、
２１…第１影形成部、
２１ｓ…第１影形成部の影、
２２…第２影形成部、
２２ｓ…第２影形成部の影、
２９…第１影形成部と前記第２影形成部とが交差する部分、
２９ａ…第１影形成部２１の下側を前記第２影形成部２２がくぐっているかのように見える部分、
３１…白色隠蔽層付きのパール加飾層、
３２…白色加飾層、
３３…グレー色加飾層、
３４…薄パール加飾層、
３５…乳白色加飾層。
【図１】
0005587018.tif 000002
【図２Ａ】
0005587018.tif 000003
【図２Ｂ】
0005587018.tif 000004
【図２Ｃ】
0005587018.tif 000005
【図３Ａ】
0005587018.tif 000006
【図３Ｂ】
0005587018.tif 000007
【図３Ｃ】
0005587018.tif 000008
【図３Ｄ】
0005587018.tif 000009
【図４】
0005587018.tif 000010
【図５Ａ】
0005587018.tif 000011
【図５Ｂ】
0005587018.tif 000012
【図６】
0005587018.tif 000013
【図７】
0005587018.tif 000014
【図８Ａ】
0005587018.tif 000015
【図８Ｂ】
0005587018.tif 000016
【図８Ｃ】
0005587018.tif 000017
【図８Ｄ】
0005587018.tif 000018
【図８Ｅ】
0005587018.tif 000019
【図８Ｆ】
0005587018.tif 000020
【図８Ｇ】
0005587018.tif 000021
【図９】
0005587018.tif 000022
【図１０】
0005587018.tif 000023